(57)【要約】【課題】老若男女が羞恥心を抱くことなく快適に着用でき、かつ足の指を清潔に健康に保つことができる靴下を提供することにある。【解決手段】靴下本体１２の先端部１３を５本指形状に形成し、この５本指形状の先端部１３を１つの袋状として視認できるように、各指を収納する５つの各指収納空間部１６間の隙間を被覆部材１９で被覆した。【選択図】  図１２
2004332127.tif 000002
【特許請求の範囲】
【請求項１】
靴下本体の袋状に形成した先端部の内側に、複数または単数の仕切り部材によって複数の囲繞空洞部を適宜間隔を以って並列に形成し、各囲繞空洞部間並びに両側の囲繞空洞部の外側にそれぞれ指収納空間部を形成したことを特徴とする靴下。
【請求項２】
靴下本体の袋状に形成した先端部の内側に、足の各指に対応する複数の指収納空間部を仕切り部材によって仕切り形成したことを特徴とする靴下。
【請求項３】
仕切り部材が編成部材または樹脂成形部材であって、この仕切り部材を縫着または接着剤によって靴下本体の先端部の内側に設けたことを特徴とする請求項１または２記載の靴下。
【請求項４】
靴下本体の先端部を５本指形状に形成し、この５本指形状の先端部を１つの袋状として視認できるように、各指を収納する５つの各指収納空間部の間の隙間を、囲繞空洞部が形成されるように被覆部材で被覆したことを特徴とする靴下。
【請求項５】
靴下本体の先端部を５本指形状に形成し、この５本指形状の先端部全体を１つの袋状カバーで被覆したことを特徴とする靴下。
【請求項６】
仕切り部材、被覆部材、または袋状カバーは、靴下本体と同色の糸で靴下本体に縫着したことを特徴とする請求項１、２、３、４または５記載の靴下。
【発明の詳細な説明】
【０００１】
【産業上の利用分野】
本発明は各種の靴下に関するものである。
【０００２】
【従来の技術】
一般に５本指の靴下としては、従来から下記の公報等に開示されているものなどがある。
【０００３】
【特許文献１】特開２００２−２２７００３公報（図２、図３）
【特許文献２】特開２００１−１２３３０１公報（図１）
【０００４】
これらの５本指の靴下は、水虫等の予防や外反母趾の防止等のために履かれたり、踏ん張った時に足の各指に力が入るために各種の作業や運動の際に履かれている。
【０００５】
この従来の５本指の靴下は、図２１に示すように靴下１の先端部２を５本の分離した指収納部３に形成してある。そしてこの靴下１を履く時には、足４の親指５から小指９までの各指５〜９を、対応する各指収納部３に１本づつ挿入して履いている。
【０００６】
【発明が解決しようとする課題】
しかしながら、従来の５本指の靴下１は、上記のような外観形状であるため見栄えが悪く、老若男女を問わず羞恥心から周りの人の目を気にして着用するのをためらっている人が多くいる。また、編成された靴下１の各指収納部３は、小さくて履く前は不定形状態である上に挿入口１０が小さいため、この靴下１を履いたり脱いだりする時に手間取ってしまうことがよくある。そのため着用する者にとっては、履いたり脱いだりするのが煩わしかった。
【０００７】
本発明は上記のような点に鑑みて開発されたものであって、その目的とするところは、足の各指を別々に収納できるが、外観上は通常の靴下（袋状の先端部に足の指全体を収納する靴下）に見えて、老若男女を問わず羞恥心を抱くことなく着用でき、足の各指を清潔にかつ快適に健康に保つことができる靴下を提供することにある。
【０００８】
【課題を解決するための手段】
本発明は上記した目的を有効に達成するために、次のような構成にしてある。すなわち、請求項１記載の本発明の靴下は、靴下本体の袋状に形成した先端部の内側に、複数または単数の仕切り部材によって複数の囲繞空洞部を適宜間隔を以って並列に設け、各囲繞空洞部間並びに両側の囲繞空洞部の外側にそれぞれ指収納空間部を形成したことを特徴とする。
【０００９】
また、請求項２記載の本発明の靴下は、靴下本体の袋状に形成した先端部の内側に、足の各指に対応する複数の指収納空間部を仕切り部材によって仕切り形成したことを特徴とする。
【００１０】
また、請求項３記載の本発明の靴下は、請求項１または２記載の靴下の構成において、仕切り部材が編成部材または樹脂成形部材であって、この仕切り部材を縫着または接着剤によって靴下本体の先端部の内側に設けたことを特徴とする。
【００１１】
また、請求項４記載の本発明の靴下は、靴下本体の先端部を５本指形状に形成し、この５本指形状の先端部を１つの袋状として視認できるように、各指を収納する５つの各指収納空間部の間の隙間を、囲繞空洞部が形成されるように被覆部材で被覆したことを特徴とする。
【００１２】
また、請求項５記載の本発明の靴下は、靴下本体の先端部を５本指形状に形成し、この５本指形状の先端部全体を１つの袋状カバーで被覆したことを特徴とする。
【００１３】
また、請求項６記載の本発明の靴下は、請求項１、２、３、４または５記載の靴下において、仕切り部材、被覆部材、または袋状カバーは、靴下本体と同色の糸で靴下本体に縫着されていることを特徴とする。
【００１４】
【発明の実施の形態】
以下、本発明の実施の形態を説明する。
図１〜図５は本発明の第１の実施の形態の靴下を示す説明図であり、図６〜図１０は本発明の第２の実施の形態の靴下を示す説明図であり、図１１〜図１５は本発明の第３の実施の形態の靴下を示す説明図であり、図１６〜図２０は本発明の第４の実施の形態の靴下を示す説明図である。
【００１５】
図１〜図５に示す本発明の第１の実施の形態の靴下１１は、外から見た場合、片方の足４の全ての指５〜９（図２参照）を１つの袋状先端部に収納されているように、靴下本体１２の先端部１３全体を１つの袋状に形成してあるが、先端部１３の内側（内部）は各指５〜９を別々に収納できるように形成してある。
【００１６】
すなわち、靴下本体１２の袋状に形成した先端部１３の内側には、仕切り部材１４（破線で示す。）によって所定間隔を以って並列（横並びを意味する。）に４つの囲繞空洞部１５が形成されている。この４つの囲繞空洞部１５を形成することによって、各囲繞空洞部１５の間並びに両側の囲繞空洞部１５（１５ａ、１５ｂ）の外側には、それぞれの指５〜９を収納するための指収納空間部１６が形成されている。
【００１７】
ここで先端部１３とは、靴下本体１２の先端１３ａから後方に数ｃｍ位までの範囲の靴下本体１２の部分を指している。勿論、先端部１３は上記の範囲に限定されるものではなく、上記の範囲より広くても狭くてもよい。
【００１８】
仕切り部材１４は、柔軟性を有する帯状の樹脂成形部材、または靴下本体１２を編成した素材と同じ糸で編成した帯状の編成部材である。勿論、編成部材は、靴下本体１２と異なる素材の糸で編成したものであってもよい。また仕切り部材１４は、１枚の帯状のもの、或いは複数の帯状のものを使用するも自由である。さらに、仕切り部材１４は帯状に限らず他の形状であってもよい。
【００１９】
上記した仕切り部材１４は、靴下本体１２の先端部１３の内面に接着剤で接着して、或いは糸で縫着して取り付けられている。
【００２０】
仕切り部材１４を靴下本体１２に縫着する場合は、靴下本体１２と同色の糸にして、なるべく外からこの糸が見えないように縫着すればよい。勿論、縫着する糸の太さや材質は、靴下本体１２を編成した糸と同じものが好ましいが、異なるものであってもよい。
【００２１】
なお、仕切り部材１４の材質、形状、厚さ、大きさは、本発明の靴下を形成できれば如何なる変更も自由である。
【００２２】
また囲繞空洞部１５は、仕切り部材１４と靴下本体１２の内面とによって或いは仕切り部材１４によって形成される部分であって、足４の各指と指との隙間にスムーズに入り込む例えば短い三角柱状等の形（勿論、各指と指との隙間にスムーズに入り込めれば明確な形でなくてもよい。）を成している。また、各指間に位置する囲繞空洞部１５の形状や大きさは、同一でも或いは異なっていてもよい。なお、囲繞空洞部１５には、クッション性のある充填材を充填して本発明の靴下１１を形成するも自由である。
【００２３】
各指収納空間部１６は、それぞれの指５〜９を各挿入口１７からスムーズに挿入できて違和感なく収納できる空間である。したがって各指収納空間部１６は、指の大きさ等によって異なるが、同じ大きさの空間であってもよい。
【００２４】
上述のような構成から成る本発明の第１の実施の形態の靴下１１では、この靴下１１を履くと時に各指５〜９を各挿入口１７から各指収納空間部１６に挿入することにより、隣どうしの指５〜９は仕切り部材１４によって接触するのを阻止される。したがって靴下１１では、各指５〜９を別々に各指収納空間部１６に収納することができる。
【００２５】
この靴下１１を履いた状態を外から見た場合（或いは見られた場合）は、一般的な靴下と同様に１つの袋状の先端部１３に足４の指５〜９をまとめて入れられているように見え、羞恥心を抱くことなく着用することができる。
【００２６】
図６〜図１０に示す本発明の第２の実施の形態の靴下１１（便宜上、以下の符合は上記した例に付した符号を使用する。）は、上記した例のように囲繞空洞部１５を形成することなく、靴下本体１２の先端部１３の内側に４枚の仕切り部材１４を適宜間隔を以って並列に取り付け、各指５〜９を別々に収納できる指収納空間部１６を形成してある。仕切り部材１４の取り付け方、材質、形状、大きさ等は、上記した例と同様であり説明を省略する。
【００２７】
この例の靴下１１も、先に説明した例の靴下１１と同様に、履いた際に、仕切り部材１４によって隣どうしの指が直接触れることもなく、足の指を衛生的に保つことができる。また着用して外から見た場合も、５本指に分かれていない一般的な靴下に見えて、着用者が羞恥心を抱くといったこともない。
【００２８】
次に図１１〜図１５に示す本発明の第３の実施の形態の靴下１１（便宜上、以下の符合は上記した例に付した符号を使用する。）は、靴下本体１２の先端部１３を、足の各指５〜９をそれぞれ別々に収納できるように５本指形状に形成してある。さらに、外から視認した時に、この５本指形状の先端部１３が１つの袋状に見えるように、各指収納空間部１６間の隙間１８を被覆部材１９で被覆して内部に各囲繞空洞部１５を形成してある。
【００２９】
この靴下１１の場合、被覆部材１９は靴下本体１２と同色の編成部材を使用して、靴下本体１２及び被覆部材１９と同色の糸で、靴下本体１２に被覆部材１９を縫着してある。勿論、被覆部材１９は、接着剤で靴下本体１２に接着してもよい。
【００３０】
このようにして形成された靴下１１も、説明を省略するが先に説明した例の靴下と同様の同様の作用効果を奏することができる。
【００３１】
次に図１６〜図２０に示す本発明の第４の実施の形態の靴下１１（便宜上、以下の符合は上記した例に付した符号を使用する。）は、靴下本体１２の先端部１３を５本指形状（図中破線で示す）に形成し、この５本指形状の先端部１３全体を被覆するように１つの袋状カバー２０を被せて、靴下本体１２および袋状カバー２０と同色の糸によって先端部１３に縫着してある。縫着箇所２１は、図１６に示す先端部１３中の実線で示す箇所である。袋状カバー２０は、靴下本体１２の先端部１３の５本指形状が隠れる大きさ・形状である。勿論、上記縫着箇所は一例であって、他の箇所を縫着箇所とするも自由である。
【００３２】
このようにして形成された靴下１１も、説明を省略するが先に説明した例の靴下と同様の同様の作用効果を奏することができる。
【００３３】
なお、本発明の靴下とは、いわゆる一般的に称呼されている靴下をはじめ、タイツ、ストッキング、パンティーストッキング等である。
【００３４】
また、上記した各例の図において、便宜上、縫着箇所を実線等で示して外から視認できるように描いているが、実際の本発明の靴下における縫着箇所の縫着糸は外から視認できない。したがって、本発明の靴下の先端部は、外からは全て１つの袋状に見える。
【００３５】
しかし、一般のニーズの変化によって上記した縫着糸を靴下の模様として単独で外から見えるようにするも、或いは他の模様とともに靴下の模様の一部として外から見えるようにするも自由である。
【００３６】
また、本発明の靴下は、靴下本体と仕切り部材とを同一の糸または異なる糸によって一体的に編成したものであってもよい。
また、本発明の靴下は、靴下本体と被覆部材とを同一の糸または異なる糸によって一体的に編成したものであってもよい。
また、本発明の靴下は、靴下本体と袋状カバーとを同一の糸または異なる糸によって一体的に編成したものであってもよい。
【００３７】
さらに、本発明の靴下は、図示の形状のものに限定されるものではなく、先端部に上記した各例の何れかの構造を備えていれば、その他の部分を如何なる構造、形状にしてもよい。勿論、本発明の靴下の先端部の形状は、図示の形状以外の形状に変更するも自由である。
【００３８】
【発明の効果】
以上、上記した説明でも明らかなように本発明の靴下では、外観上、先端部は１つの袋状を成しているので、履いたときに５本指の靴下には見えず、外観の見栄えを損なうこともないので、老若男女を問わず何ら恥ずかしがることなく着用することができる。また、靴下本体の先端部の内側は、各指が別々に収納できるように形成されているので、指どうしが接することもなく水虫等の予防に寄与でき、各指を清潔にかつ快適に健康に保つことができる。また、本発明の靴下は、各指を内部で別々に収納できる構成であるため、従来の５本指の靴下のように外から見た場合に５本の各指収納空間部に分岐していて、履く時に各指収納空間部を形成した部分がふらふらし、また指収納空間部内が完全に広がっていなくて履きにくいといったこともなく、老若男女を問わず容易に履くことができる。また、本発明の靴下は、脱ぐ時も従来の５本指の靴下のように各指収納空間部を形成した部分が指とともに裏返ってくることなく、容易に素早く脱ぐことができる。さらに、靴下の内部では、各指が別々の指収納空間部に挿入されているため、踏ん張った時にも先端部が１つの袋状の靴下に比べ、仕切り部材を指間に挟んだ状態で各指に力を入ることができ、各種の作業や運動のときに着用することにより、踏ん張り力を発揮することができる。
【図面の簡単な説明】
【図１】本発明の第１の実施の態様の靴下の平面視した説明図である。
【図２】本発明の第１の実施の態様の靴下の着用時の平面視した説明図である。
【図３】本発明の第１の実施の態様の靴下の着用時の底面視した説明図である。
【図４】本発明の第１の実施の態様の靴下の着用時の正面視した説明図である。
【図５】本発明の第１の実施の態様の靴下の着用時の斜視した説明図である。
【図６】本発明の第２の実施の態様の靴下の平面視した説明図である。
【図７】本発明の第２の実施の態様の靴下の着用時の平面視した説明図である。
【図８】本発明の第２の実施の態様の靴下の着用時の底面視した説明図である。
【図９】本発明の第２の実施の態様の靴下の着用時の正面視した説明図である。
【図１０】本発明の第２の実施の態様の靴下の着用時の斜視した説明図である。
【図１１】本発明の第３の実施の態様の靴下の平面視した説明図である。
【図１２】本発明の第３の実施の態様の靴下の着用時の平面視した説明図である。
【図１３】本発明の第３の実施の態様の靴下の着用時の底面視した説明図である。
【図１４】本発明の第３の実施の態様の靴下の着用時の正面視した説明図である。
【図１５】本発明の第３の実施の態様の靴下の着用時の斜視した説明図である。
【図１６】本発明の第４の実施の態様の靴下の平面視した説明図である。
【図１７】本発明の第４の実施の態様の靴下の着用時の平面視した説明図である。
【図１８】本発明の第４の実施の態様の靴下の着用時の底面視した説明図である。
【図１９】本発明の第４の実施の態様の靴下の着用時の正面視した説明図である。
【図２０】本発明の第４の実施の態様の靴下の着用時の斜視した説明図である。
【図２１】従来の５本指の靴下を示す説明図である。
【符号の説明】
５〜９    指
１１      靴下
１２      靴下本体
１３      先端部
１４      仕切り部材
１５      囲繞空洞部
１６      指収納空間部
１９      被覆部材
２０      袋状カバー
【図１】
2004332127.tif 000003
【図２】
2004332127.tif 000004
【図３】
2004332127.tif 000005
【図４】
2004332127.tif 000006
【図５】
2004332127.tif 000007
【図６】
2004332127.tif 000008
【図７】
2004332127.tif 000009
【図８】
2004332127.tif 000010
【図９】
2004332127.tif 000011
【図１０】
2004332127.tif 000012
【図１１】
2004332127.tif 000013
【図１２】
2004332127.tif 000014
【図１３】
2004332127.tif 000015
【図１４】
2004332127.tif 000016
【図１５】
2004332127.tif 000017
【図１６】
2004332127.tif 000018
【図１７】
2004332127.tif 000019
【図１８】
2004332127.tif 000020
【図１９】
2004332127.tif 000021
【図２０】
2004332127.tif 000022
【図２１】
2004332127.tif 000023